【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
関連する複数の書類であって、当該各書類に応じた所定の形式に従って前記書類における１以上の項目の情報が記載されている前記各書類の画像を取得する画像取得手段と、
前記各書類に応じた所定の形式に基づき、前記各項目に対して情報が記載された記載領域を、前記各書類の画像から抽出する記載領域抽出手段と、
前記関連する複数の書類を特定するための画像であって、前記各書類の前記記載領域を合成させた合成画像を生成する合成画像生成手段と、
を備えたことを特徴とする管理装置。
【請求項２】
請求項１に記載の管理装置において、
前記合成画像生成手段が、前記合成画像に、所定の空隙率を有する重畳用画像を重ねた重畳合成画像を生成することを特徴とする管理装置。
【請求項３】
請求項２に記載の管理装置において、
前記合成画像生成手段が、前記合成画像に、複数の異なる前記重畳用画像を重ねた重畳合成画像を生成することを特徴とする管理装置。
【請求項４】
請求項２または請求項３に記載の管理装置において、
前記重畳用画像が、記号を並べた画像であることを特徴とする管理装置。
【請求項５】
請求項１から４のいずれか１項に記載の管理装置において、
前記合成画像生成手段が、前記各書類の前記記載領域を重ねた合成画像を生成することを特徴とする管理装置。
【請求項６】
画像取得手段が、関連する複数の書類であって、当該各書類に応じた所定の形式に従って前記書類における１以上の項目の情報が記載されている前記各書類の画像を取得する画像取得ステップと、
記載領域抽出手段が、前記各書類に応じた所定の形式に基づき、前記各項目に対して情報が記載された記載領域を、前記各書類の画像から抽出する記載領域抽出ステップと、
画像生成手段が、前記関連する複数の書類を特定するための画像であって、前記各書類の前記記載領域を含む領域を合成させた合成画像を生成する合成画像生成ステップと、
を含むことを特徴とする管理方法。
【請求項７】
コンピュータを、
関連する複数の書類であって、当該各書類に応じた所定の形式に従って前記書類における１以上の項目の情報が記載されている前記各書類の画像を取得する画像取得手段、
前記各書類に応じた所定の形式に基づき、前記各項目に対して情報が記載された記載領域を、前記各書類の画像から抽出する記載領域抽出手段、および、
関連する複数の書類を特定するための画像であって、前記各書類の前記記載領域を合成させた合成画像を生成する合成画像生成手段として機能させることを特徴とする管理装置用のプログラム。
【請求項８】
書類に関する書類情報を管理する管理装置と、書類の画像を撮像して画像データを取り込む画像入力装置と、を備えた管理システムにおいて、
前記管理装置が、
関連する複数の書類であって、当該各書類に応じた所定の形式に従って前記書類における１以上の項目の情報が記載されている前記各書類の画像を、前記画像入力装置から取得する画像取得手段と、
前記各書類に応じた所定の形式に基づき、前記各項目に対して情報が記載された記載領域を、前記各書類の画像から抽出する記載領域抽出手段と、
前記関連する複数の書類を特定するための画像であって、前記各書類の前記記載領域を合成させた合成画像を生成する合成画像生成手段と、
を備えたことを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、関連する複数の書類であって、当該各書類に応じた所定の形式に従って前記書類における１以上の項目の情報が記載されている前記各書類の画像を取得する画像取得手段と、前記各書類に応じた所定の形式に基づき、前記各項目に対して情報が記載された記載領域を、前記各書類の画像から抽出する記載領域抽出手段と、前記関連する複数の書類を特定するための画像であって、前記各書類の前記記載領域を合成させた合成画像を生成する合成画像生成手段と、を備えたことを特徴とする。
【手続補正３】
【補正対象書類名】明細書
【補正対象項目名】０００７
【補正方法】変更
【補正の内容】
【０００７】
また、請求項２に記載の発明は、請求項１に記載の管理装置において、前記合成画像生成手段が、前記合成画像に、所定の空隙率を有する重畳用画像を重ねた重畳合成画像を生成することを特徴とする。
【手続補正４】
【補正対象書類名】明細書
【補正対象項目名】０００８
【補正方法】変更
【補正の内容】
【０００８】
また、請求項３に記載の発明は、請求項２に記載の管理装置において、前記合成画像生成手段が、前記合成画像に、複数の異なる前記重畳用画像を重ねた重畳合成画像を生成することを特徴とする。
【手続補正５】
【補正対象書類名】明細書
【補正対象項目名】０００９
【補正方法】変更
【補正の内容】
【０００９】
また、請求項４に記載の発明は、請求項２または請求項３に記載の管理装置において、
前記重畳用画像が、記号を並べた画像であることを特徴とする。
【手続補正６】
【補正対象書類名】明細書
【補正対象項目名】００１０
【補正方法】変更
【補正の内容】
【００１０】
また、請求項５に記載の発明は、請求項１から４のいずれか１項に記載の管理装置において、前記合成画像生成手段が、前記各書類の前記記載領域を重ねた合成画像を生成することを特徴とする。
【手続補正７】
【補正対象書類名】明細書
【補正対象項目名】００１１
【補正方法】変更
【補正の内容】
【００１１】
また、請求項６に記載の発明は、画像取得手段が、関連する複数の書類であって、当該各書類に応じた所定の形式に従って前記書類における１以上の項目の情報が記載されている前記各書類の画像を取得する画像取得ステップと、記載領域抽出手段が、前記各書類に応じた所定の形式に基づき、前記各項目に対して情報が記載された記載領域を、前記各書類の画像から抽出する記載領域抽出ステップと、画像生成手段が、前記関連する複数の書類を特定するための画像であって、前記各書類の前記記載領域を含む領域を合成させた合成画像を生成する合成画像生成ステップと、を含むことを特徴とする。
【手続補正８】
【補正対象書類名】明細書
【補正対象項目名】００１２
【補正方法】変更
【補正の内容】
【００１２】
また、請求項７に記載の発明は、コンピュータを、関連する複数の書類であって、当該各書類に応じた所定の形式に従って前記書類における１以上の項目の情報が記載されている前記各書類の画像を取得する画像取得手段、前記各書類に応じた所定の形式に基づき、前記各項目に対して情報が記載された記載領域を、前記各書類の画像から抽出する記載領域抽出手段、および、前記関連する複数の書類を特定するための画像であって、前記各書類の前記記載領域を合成させた合成画像を生成する合成画像生成手段として機能させることを特徴とする。請求項８に記載の発明は、書類に関する書類情報を管理する管理装置と、書類の画像を撮像して画像データを取り込む画像入力装置と、を備えた管理システムにおいて、前記管理装置が、関連する複数の書類であって、当該各書類に応じた所定の形式に従って前記書類における１以上の項目の情報が記載されている前記各書類の画像を、前記画像入力装置から取得する画像取得手段と、前記各書類に応じた所定の形式に基づき、前記各項目に対して情報が記載された記載領域を、前記各書類の画像から抽出する記載領域抽出手段と、前記関連する複数の書類を特定するための画像であって、前記各書類の前記記載領域を合成させた合成画像を生成する合成画像生成手段と、を備えたことを特徴とする。
【手続補正９】
【補正対象書類名】明細書
【補正対象項目名】０１１７
【補正方法】変更
【補正の内容】
【０１１７】
次に、管理サーバ１０は、合成画像を生成する（ステップＳ２４）。具体的には、制御部１１が、図２４Ａから図２４Ｃに示すように、契約書、証明のための書類である住民票、免許証の各書類に氏名等が記載されている非共通領域から構成される項目画像を生成する。例えば、制御部１１が、各項目に対応した切り出し画像から項目画像を生成してもよい。書類における各項目の位置に応じて、切り出し画像を連結する。また、制御部１１が、書類の画像データから、項目画像を切り出してもよい。また、項目画像の大きさを、ダミーレイヤー画像の大きさに合うように、制御部１１が、縮小または拡大してもよい。制御部１１が、図２に示すように、非共通領域ＮＣの画像を、項目画像としてもよい。
【手続補正１０】
【補正対象書類名】明細書
【補正対象項目名】発明の名称
【補正方法】変更
【補正の内容】
【発明の名称】管理装置、管理方法、管理装置用のプログラム、および、管理システム